(57)【要約】【課題】購買目的に必要な商品のリストで、なおかつその順番をも考慮されたリストを購買者に提示する。【解決手段】購買目的が選択されると、その購買目的と関連付けられて記憶されている商品識別名称のリストを作成する。そして、このリストに存在する名称で識別される商品のなかから購入商品の選択を受付ける。そして、購買目的を表す種々の項目データに対し、それぞれその項目データと関連付けられて記憶されている商品識別名称データ毎に、購入商品として選択された回数を集計する。【選択図】      図１４
2007102330.tif 000002
【特許請求の範囲】
【請求項１】
購買者の購買目的を表す種々の項目データと関連付けてその購買目的に必要な商品の識別名称データを記憶する記憶手段と、
前記購買目的を表す種々の項目データの中から何れかの項目データの選択を受付ける購買目的受付手段と、
この購買目的受付手段を介して何れかの項目データが選択されるとその項目データと関連付けられて前記記憶手段に記憶されている商品識別名称データを抽出する商品名称抽出手段と、
このデータ抽出手段により抽出された商品識別名称データに基づいて選択項目データで表される購買目的に必要な商品識別名称のリストを作成するリスト作成手段と、
前記リストに存在する名称で識別される商品のなかから購入商品の選択を受付ける購入商品受付手段と、
前記購買目的を表す種々の項目データに対し、それぞれその項目データと関連付けられて前記記憶手段により記憶されている商品識別名称データ毎に購入商品として選択された回数を集計する選択回数集計手段とを具備したことを特徴とする購買支援装置。
【請求項２】
前記リスト作成手段は、前記購買目的受付手段を介して選択された項目データで表される購買目的に必要な商品識別名称を、当該項目データに対して前記選択回数集計手段により集計された回数の大きい順に並べたリストを作成することを特徴とする請求項１記載の購買支援装置。
【請求項３】
商品識別名称の入力を受付ける名称受付手段と、
この名称受付手段を介して入力された商品識別名称を前記リスト作成手段により作成されたリストに追加する名称追加手段と、
この名称追加手段により追加された商品識別名称のデータを前記購買目的受付手段を介して選択された項目データと関連付けて前記記憶手段に記憶させる記憶情報更新手段と、
をさらに具備したことを特徴とする請求項１記載の購買支援装置。
【発明の詳細な説明】
【技術分野】
【０００１】
本発明は、様々な購買目的に対してその目的毎に必要な商品を的確に購買者に知らせることを可能にした購買支援装置に関する。
【背景技術】
【０００２】
従来、献立として決定した料理を作るために必要な材料をリストアップして買物リストを作成し、さらに、ユーザが買物の途中で買物リスト上の購入済材料にチェックマークを付与することを可能にして、買物リストから購入済の材料と未購入の材料とを容易に確認できるようにした購買支援装置があった（例えば、特許文献１参照）。
【特許文献１】特開２００４−２５８９９５号公報
【発明の開示】
【発明が解決しようとする課題】
【０００３】
しかしながら、従来のこの種の購買支援装置においては、買物リストに表示される材料の順番までは考慮されていなかった。  
例えば献立に必要な食材といっても、ユーザによって好みが異なったり地域によって作り方が異なったりするので、必ずしも全ての材料が必要というわけではない。それにも拘らず従来装置の場合は、買物リストに表示される材料の順番までは考慮されていなかったので、多くの購買者にとっては不要な材料が買物リストの上位に並んでしまうこともあった。
【０００４】
本発明はこのような事情に基づいてなされたもので、その目的とするところは、購買目的に必要な商品のリストで、なおかつその順番をも考慮されたリストを購買者に提示できる購買支援装置を提供しようとするものである。
【課題を解決するための手段】
【０００５】
本発明は、購買目的に必要な商品のリストを提示し得る購買支援装置であって、購買者の購買目的を表す種々の項目データと関連付けてその目的に必要な商品の識別名称データを記憶する記憶手段と、購買目的を表す種々の項目データの中から何れかの項目データの選択を受付ける購買目的受付手段と、この購買目的受付手段を介して何れかの項目データが選択されるとその項目データと関連付けられて記憶手段に記憶されている商品識別名称データを抽出する商品名称抽出手段と、このデータ抽出手段により抽出された商品識別名称データに基づいて選択項目データで表される購買目的に必要な商品識別名称のリストを作成するリスト作成手段と、リストに存在する名称で識別される商品のなかから購入商品の選択を受付ける購入商品受付手段と、購買目的を表す種々の項目データに対し、それぞれその項目データと関連付けられて記憶手段により記憶されている商品識別名称データ毎に購入商品として選択された回数を集計する選択回数集計手段とを備えたものである。  
かかる手段を講じたことにより、購買目的受付手段を介して選択された項目データで表される購買目的に必要な商品識別名称を、当該項目データに対して選択回数集計手段により集計された回数の大きい順に並べたリストを作成することが可能となる。
【発明の効果】
【０００６】
本発明によれば、購買目的に必要な商品のリストで、なおかつその順番をも考慮されたリストを購買者に容易に提示できる購買支援装置を提供できる。
【発明を実施するための最良の形態】
【０００７】
以下、本発明を実施するための最良の形態について、図面を用いて説明する。  
なお、この実施の形態は、パソコン，ファクシミリ，携帯電話，携帯情報端末等のインターネット対応のユーザ端末を使用する購買者に対し、インターネットを利用して、所望する購買目的に必要な商品のリストを提示することを可能にした買物支援システムに本発明を適用した場合である。
【０００８】
図１は本実施の形態である買物支援システムの概略図である。この買物支援システムは、インターネット１上の買物支援サーバ２と、インターネット・サービス・プロバイダ（以下、プロバイダと称する）３または携帯電話基地局４等を介してインターネット１にアクセス可能なユーザ端末５とで構成されている。ユーザ端末５は、ブラウザ機能を備えた例えばパソコン，ファクシミリ，携帯電話，携帯情報端末等の通信端末機器であり、買物支援サービスを受ける各購買者が個々に所有する。あるいは、商店，飲食店，駅，ショッピングセンターなどの公共の場所に置かれ、不特定の購買者が共有する運用であってもよい。
【０００９】
買物支援サーバ２は、Ｗｅｂ上に公開されたＷｅｂサーバであって、ユーザ端末５で所定のＵＲＬ（Uniform Resource Locator）を指定することによりアクセス可能となっている。買物支援サーバ２には、特に会員データベース６，購買目的データベース７，目的別商品データベース８及び選択履歴データベース９が備えられている。
【００１０】
会員データベース６は、買物支援サービスを受けるべく登録された各会員に関する情報を保存するものである。本実施の形態では、図２に示すように、各会員固有の会員コードに対応して、パスワード，氏名，居所等の情報が保存されている。因みに、会員コード及びパスワードは、ユーザ端末５から買物支援サーバ２にログインする際の識別データとして使用される。
【００１１】
購買目的データベース７は、購買者の購買目的を表す種々の項目データを保存するものである。本実施の形態では、図３に示すように、一連の目的番号に対応して、目的項目名等の情報が保存されている。因みに、目的項目名とは購買者が買物をする際の目的となり得る事柄を示す名称であって、例えば「正月」，「節分」，「七夕」，「父の日」，「母の日」，「運動会」等の行事や、「バーベキュー」，「カレーライス」，「鍋料理」等の献立や、「引越し」，「大掃除」，「法事」等の事項が該当する。
【００１２】
目的別商品データベース８は、購買目的データベース７に記憶された各種の購買目的項目に対し、それぞれ必要な商品に関する情報を保存するものである。本実施の形態では、図４に示すように、一連の目的番号に対応して、その購買目的に必要な各商品の識別名称データ，いわゆる商品名と、カウンタデータと、最新更新日データが保存されている。因みに、カウンタデータは、対応する商品名の商品が選択された回数を計数するデータである。最新更新日データは、対応する商品名の商品が選択された最新の日付データである。
【００１３】
具体例を挙げると、購買目的名「引越し」に対しては、引越しに必要な商品として「ダンボール」，「紐」，「ガムテープ」，「そば」等の商品名が保存されている。購買目的名「バーベキュー」に対しては、バーベキューを行なうのに必要な商品として「牛肉」，「鶏肉」，「ビール」，「タマネギ」，「もやし」，「ソーセージ」等の商品名が保存されている。
【００１４】
選択履歴データベース９は、購買目的に対して提示された商品リストの中から購買者が購入することを選択した商品に関するデータを保存するものである。本実施の形態では、図５に示すように、購買支援サービスが実行された日付に対応して、購買目的の目的番号と、選択された商品の商品名と、購買者の会員コードとが保存されている。
【００１５】
図６は買物支援サーバ２の要部構成を示すブロック図である。買物支援サーバ２は、制御部本体を構成するＣＰＵ（Central Processing Unit）２１、プログラム等の固定的データが予め格納されたＲＯＭ（Read Only Memory）２２、ＣＰＵ２１のデータ処理で使用される種々のメモリエリアが形成されるＲＡＭ（Random Access Memory）２３、現在の日付及び時刻を計時する時計部２４、不揮発性の大容量記憶装置であるＨＤＤ（Hard Disk Drive）装置２５、インターネット１を介して行なうデータ通信を制御する通信制御部２６、キーボード，ディスプレイ，プリンタ等の各種入出力機器が電気的に接続される入出力機器インターフェイス２７等で構成されている。ＣＰＵ２１と、ＲＯＭ２２，ＲＡＭ２３，時計部２４，ＨＤＤ装置２５，通信制御部２６及び入出力機器インターフェイス２７とは、アドレスバス，データバス等のバスライン２８を介して接続されている。
【００１６】
ＨＤＤ装置２５には、前記会員データベース６，購買目的データベース７，目的別商品データベース８及び選択履歴データベース９が保存されている。ここに買物支援サーバ２は、目的別商品データベース８を保存するＨＤＤ装置２５によって、購買者の購買目的を表す種々の項目データと関連付けてその目的に必要な商品の識別名称データを記憶する記憶手段を構成している。
【００１７】
ＲＡＭ２３には、図７に示すように、商品名，カウンタ及び最新更新日の各データを一連の番号順に複数記憶可能なソートメモリ２３１が形成されている。
【００１８】
図８はユーザ端末５の要部構成を示すブロック図である。ユーザ端末５は、制御部本体を構成するＣＰＵ５１、不揮発性の書換え可能なメモリ部５２、揮発性の書換え可能なメモリ部５３、インターネット１を介して行なうデータ通信を制御する通信制御部５４、キー，ボタン，ポインティングデバイス等の入力部５５及び文字表示が可能な表示部５６等で構成されている。ＣＰＵ５１と、不揮発性メモリ部５２，揮発性メモリ部５３，通信制御部５４，入力部５５及び表示部５６とは、アドレスバス，データバス等のバスライン５７を介して接続されている。
【００１９】
不揮発性メモリ部５２は、ユーザ端末５内蔵のＥＰＲＯＭ（Erasable and Programmable Read Only memory）や、ユーザ端末５に設けられたカードスロットに着脱自在に装着されるメモリカード等であってもよい。不揮発性メモリ部５２には、後述する買物リストデータがバックアップ保存される。
【００２０】
揮発性メモリ部５３は、例えばユーザ端末５に実装されたＤＲＡＭ（Dynamic RAM）であり、図９に示すように、商品名データを一連の番号順に複数記憶可能な買物リストメモリ５３１と、いずれかの目的項目名に対応した目的番号とともに複数の商品名データを記憶可能な今回メモリ５３２とが形成されている。
【００２１】
図１０〜図１２は、ユーザ端末５のＣＰＵ５１が実行する主要な処理の手順を示す流れ図である。また、図１３〜図１４は、買物支援サーバ２のＣＰＵ２１が実行する主要な処理の手順を示す流れ図である。また、図１５〜図２２は、ユーザ端末５の表示部５６に表示される各種画面の一例を示す模式図である。以下、これらの図面を用いて、本実施の形態の作用について説明する。
【００２２】
先ず、買物支援サービスを受けるユーザ（購買者）は、ユーザ端末５の入力部５５を操作して、買物支援サーバ２のＵＲＬを指定することにより買物支援サーバ２にアクセスする。これにより、買物支援サーバ２からユーザ端末５にログイン画面Ｇ１がダウンロードされ、表示部５６に表示される（図１０・ＳＴ１）。ログイン画面Ｇ１の一例を図１５に示す。図示するようにログイン画面Ｇ１には、会員コード及びパスワードの入力欄Ａ１，Ａ２と、「決定」ボタンＢ１及び「戻る」ボタンＢ２が形成されている。
【００２３】
そこでユーザは、入力部５５を操作して入力欄Ａ１，Ａ２にそれぞれ会員コードとパスワードを入力し、「決定」ボタンＢ１を押下する（図１０・ＳＴ２）。そうすると、ログインデータつまりは会員コードとパスワードの各入力データが買物支援サーバ２に送信される（図１０・ＳＴ３）。
【００２４】
これにより、買物支援サーバ２においては、ログインデータ中の会員コードに対応して会員データベース６に設定されているパスワードが読み出され、ログインデータ中のパスワードと照合される。その結果、パスワードの一致が確認されると、ログインの成立により買物リスト画面Ｇ２がユーザ端末５に送信される（図１０・ＳＴ４）。
【００２５】
ユーザ端末５においては、買物リスト画面Ｇ２のダウンロードを受けて、不揮発性メモリ部５２に保存されている買物リストデータが読出され、買物リストメモリ５３１に展開される（図１０・ＳＴ５）。そして、この買物リストメモリ５３１に展開された買物リストデータとともに買物リスト画面Ｇ２が表示部５６に表示される（図１０・ＳＴ６）。買物リスト画面Ｇ２の一例を図１６に示す。買物リスト画面Ｇ２には、買物リスト欄Ａ３と、「削除」ボタンＢ３，「追加」ボタンＢ４及び「終了」ボタンＢ５が形成されている。そして、買物リスト欄Ａ３には、買物リストメモリ５３１に展開された買物リストデータの商品名が表示されている。
【００２６】
ここで、買物リスト欄Ａ３に表示されている商品名の商品全てについて既に買物を終えている場合には、ユーザは、入力部５５を操作して「削除」ボタンＢ３を押下する（図１０・ＳＴ８）。そうすると、買物リストメモリ５３１から買物リストデータが全て削除される（図１０・ＳＴ１１，ＳＴ１３）。また、一部の商品の買物を終えている場合には、ユーザは、入力部５５を操作して買物リスト欄Ａ３の該当する商品名を選択した後、「削除」ボタンＢ３を押下する（図１０・ＳＴ８）。そうすると、買物リストメモリ５３１から該当する商品名のデータが削除される（図１０・ＳＴ１１，ＳＴ１２）。
【００２７】
次に、ユーザは、買物支援サービスを受けるために、入力部５５を操作して「追加」ボタンＢ４を押下する（図１０・ＳＴ７）。そうすると、ユーザ端末５においては、図１１に具体的に示す買物リスト追加処理が実行される（図１０・ＳＴ１０）。
【００２８】
先ず、ユーザ端末５から買物支援サーバ２に「追加」ボタンＢ４の入力が指令される。この指令を受けて、買物支援サーバ２では、購買目的データベース７に保存されている目的番号とそれに対応する購買目的名のデータにより購買目的リスト画面Ｇ３が作成される。そして、この購買目的リスト画面Ｇ３が当該ユーザ端末５にダウンロードされ、表示部５６に表示される（図１１・ＳＴ２１）。購買目的リスト画面Ｇ３の一例を図１７に示す。図示するように購買目的リスト画面Ｇ３には、購買目的リスト欄Ａ４と、「決定」ボタンＢ６及び「戻る」ボタンＢ７が形成されている。そして、購買目的リスト欄Ａ４には、購買目的データベース７に保存されている購買目的名が選択可能に表示されている。ここに、買物支援サーバ２及びユーザ端末５は、購買目的を表す種々の項目データの中から何れかの項目データの選択を受付ける購買目的受付手段を構成している。
【００２９】
そこでユーザは、入力部５５を操作して購買目的リスト欄Ａ４の中から所望する購買目的名を１つ選択し、「決定」ボタンＢ６を押下する（図１１・ＳＴ２３）。そうすると、この選択された購買目的名に対応した目的番号が今回メモリ５３２にセットされる（図１１・ＳＴ２４）。なお、今回メモリ５３２は、購買目的リスト画面Ｇ３のダウンロードを受けた際にクリアされている（図１１・ＳＴ２２）。
【００３０】
また、ユーザ端末５から買物支援サーバ２に購買目的名の選択完了が通知される。これにより、買物支援サーバ２においては、図１３に示す商品名リスト作成処理が実行される。先ず、選択された購買目的名の目的番号に対応して目的別商品データベース８に保存されている商品名，カウンタ及び最新更新日の各データが読出され、ソートメモリ２３１にセットされる（図１３・ＳＴ５１）。なお、ソートメモリ２３１は、この処理の開始に先立ちクリアされている。ここに、買物支援サーバ２は、購買目的受付手段を介して何れかの項目データが選択されるとその項目データと関連付けられて前記目的別商品データベース８に記憶されている商品名データを抽出する商品名称抽出手段を構成している。
【００３１】
次に、買物支援サーバ２においては、時計部２４にて計時されている現在日付と予め設定されている日数Ｄとから、現在日よりＤ日前の基準日が算出される（図１３・ＳＴ５２）。そして、ソートメモリ２３１から最新更新日が基準日以前のデータが全て削除される（図１３・ＳＴ５３）。次に、ソートメモリ２３１内の商品名，カウンタ及び最新更新日からなる各データが、カウンタデータの大きい順に並べ替えられる（図１３・ＳＴ５４）。しかる後、ソートメモリ２３１内の商品名をカウンタデータの大きい順に並べた商品名リストが作成され、この商品名リストを含む画面Ｇ５が当該ユーザ端末５にダウンロードされる（図１３・ＳＴ５５）。ここに、買物支援サーバ２は、データ抽出手段により抽出された商品名データに基づいて選択項目データで表される購買目的に必要な商品名リストを作成するリスト作成手段を構成している。
【００３２】
これにより、ユーザ端末５の表示部５６には商品名リスト画面Ｇ４が表示される（図１１・ＳＴ２５）。商品名リスト画面Ｇ４の一例を図１８に示す。図示するように商品名リスト画面Ｇ４には、商品名リスト欄Ａ５と、「選択」ボタンＢ８，「追加」ボタンＢ９，「決定」ボタンＢ１０及び「戻る」ボタンＢ１１が形成されている。そして、商品名リスト欄Ａ５には、目的別商品データベース８において当該購買目的名の目的番号に対応して保存されている各商品名のうち最新更新日付が基準日以降の商品名がカウンタデータの大きい順に選択可能に表示されている。図１８は購買目的名「バーベキュー」を選択したときの商品名リスト画面Ｇ４の一例である。この場合、「牛肉」が最もカウンタデータの大きい商品名である。ここに、買物支援サーバ２及びユーザ端末５は、商品名リストに存在する名称で識別される商品のなかから購入商品の選択を受付ける購入商品受付手段を構成している。
【００３３】
そこでユーザは、入力部５５を操作して、商品名リスト欄Ａ５に表示されている商品名の中で購入を希望する商品の商品名を選択し、「選択」ボタンＢ８を押下する（図１１・ＳＴ２６）。そうすると、当該ユーザ端末５の今回メモリ５３２に、その選択された商品名データが追加される（図１１・ＳＴ２７）。また、図１９に示すように、選択された商品名（この場合は「牛肉」）にアスタリスクマーク“＊”が付されて、選択されていない他の商品名と区別される（図１１・ＳＴ３２）。
【００３４】
ここで、商品名を選択し間違えた場合には、入力部５５を操作して「戻る」ボタンＢ１１を押下する（図１１・ＳＴ２８）。そうすると、今回メモリ５３２に直前に追加された商品名データが削除される（図１１・ＳＴ２９）。また、削除された商品名に付されていたアスタリスクマーク“＊”が消去される（図１１・ＳＴ３２）。
【００３５】
また、商品名リスト欄Ａ５の中に所望する商品名が存在しない場合には、ユーザは入力部５５を操作して「追加」ボタンＢ９を押下する（図１１・ＳＴ３０）。そうすると、ユーザ端末５から買物支援サーバ２に「追加」ボタンＢ９の入力が指令される。この指令を受けて、買物支援サーバ２から当該ユーザ端末５に商品名入力画面Ｇ５がダウンロードされる。これにより、当該ユーザ端末５では、図１２に具体的に示す商品名追加処理が実行される。
【００３６】
先ず、表示部５６に商品名入力画面Ｇ５が表示される（図１２・ＳＴ４１）。商品名入力画面Ｇ５の一例を図２０に示す。図示するように商品名入力画面Ｇ５には、複数の商品名入力欄Ａ６と、「決定」ボタンＢ１２及び「戻る」ボタンＢ１３が形成されている。ここに、買物支援サーバ２及びユーザ端末５は、商品識別名称の入力を受付ける名称受付手段を構成している。
【００３７】
そこでユーザは、入力部５５を操作して商品名入力欄Ａ６に所望する商品名の文字列を入力し、「決定」ボタンＢ１２を押下する（図１２・ＳＴ４２）。例えば、バーベキューに対してエリンギがなかった場合には、「エリンギ」と入力して「決定」ボタンＢ１２を押下する。そうすると、ユーザ端末５においては、商品名入力欄Ａ６に入力された文字列「エリンギ」が商品名と認識されて、この商品名データが今回メモリ５３２に追加される（図１２・ＳＴ４３）。
【００３８】
ユーザは、所望する商品名全てについて同様な操作を繰り返す。そして、所望する商品名を全て入力し終えたならば、「戻る」ボタンＢ１３を押下する（図１２・ＳＴ４４）。そうすると、図２１に示すように、当該ユーザ端末５の表示部５６の画面が商品名リスト画面Ｇ４に戻される（図１２・ＳＴ４５）。そして、この商品名リスト欄Ａ５の先頭に、今回追加された商品名（この場合は「エリンギ」）が、アスタリスクマーク“＊”とともに表示される（図１１・ＳＴ３２）。ここに、ユーザ端末５は、名称受付手段を介して入力された商品識別名称をリスト作成手段により作成されたリストに追加する名称追加手段を構成している。
【００３９】
こうして、購入を希望する商品名の選択操作を完了したならば、ユーザは、入力部５５を操作して「決定」ボタンＢ１０を押下する（図１１・ＳＴ３３）。そうすると、当該ユーザ端末５では、今回メモリ５３２内の目的番号及び商品名データと、ログイン時の会員コードとから選択履歴データが作成され、買物支援サーバ２に送信される（図１１・ＳＴ３３）。また、今回メモリ５３２内の商品名データが買物リストメモリ５３１に追加される（図１１・ＳＴ３３）。しかる後、表示部５６の画面が買物リスト画面Ｇ２に切り換えられ、図２２に示すように、買物リストメモリ５３１に追加された商品名、つまりはユーザが購入を希望した商品の商品名リストが買物リスト欄Ａ３に表示される（図１０・ＳＴ６）。
【００４０】
そこでユーザは、買物リスト欄Ａ３の内容を確認し、問題がなければ、入力部５５を操作して「終了」ボタンＢ５を押下する（図１０・ＳＴ９）。そうすると、当該ユーザ端末５においては、買物リストメモリ５３１内の商品名リストつまりは買物リストデータが不揮発性メモリ部５２で保存される（図１０・ＳＴ１４）。
【００４１】
したがって、ユーザは、不揮発性メモリ部５２に保存されている買物リストデータを表示部５６に表示させることによって、最新の買物リストをいつでも得ることができる。
【００４２】
ところで、ユーザ端末５から送信される選択履歴データを受信した買物支援サーバ２においては、その選択履歴データに時計部２４で計時されている現在日付のデータが付されて、選択履歴データベース９に追加保存される。また、買物支援サーバ２においては、図１４の流れ図に示す履歴更新処理が定期的に実行されるようになっている。
【００４３】
すなわち、買物支援サーバ２のＣＰＵ２１は、履歴更新処理の開始タイミングになると、ＳＴ６１として選択履歴データベース９を検索して、日付データが前回の履歴更新処理実行日以降の選択履歴データを捜す。そして、ＳＴ６２として該当する選択履歴データを検出したならば、ＣＰＵ２１は、ＳＴ６３として該当する選択履歴データの中で保存日時が最も古い選択履歴データを取得する。
【００４４】
次に、ＣＰＵ２１は、ＳＴ６４として当該選択履歴データから最初の商品名データを抽出する。そして、ＳＴ６５として目的別商品データベース８に保存されている各目的番号別データのうち当該選択履歴データの目的番号に関連するデータを検索する。そして、ＳＴ６６としてこのデータに当該商品名データが存在するか否かを判断する。その結果、当該商品名データが存在する場合には、ＣＰＵ２１は、ＳＴ６７として当該商品名データに対応したカウンタデータを“＋１”する。また、最新更新日を当該選択履歴データの日付に書き換える（選択回数集計手段）。これに対し、当該商品名データが存在しない場合には、ＣＰＵ２１は、ＳＴ６８として当該選択履歴データの目的番号に関連する目的別商品データベース８のデータに、当該商品名データを追加する。また、この商品名データに対応するカウンタデータを初期値”１”とし、最新更新日を当該選択履歴データの日付とする（記憶情報更新手段）。
【００４５】
次に、ＣＰＵ２１は、ＳＴ６９として当該選択履歴データに次の商品名データが存在するか否かを判断する。そして、次の商品名データが存在する場合には、その商品名データに対して前記ＳＴ６４〜ＳＴ６８の各処理を再度実行する。
【００４６】
ＳＴ６９にて次の商品名データがないことを確認した場合には、ＣＰＵ２１は、ＳＴ７０として選択履歴データベース９から保存日時が次に古い選択履歴データを取得する。そして、この選択履歴データに対して前記ＳＴ６３〜ＳＴ６９の各処理を再度実行する。
【００４７】
ＳＴ７０にて次の選択履歴データがないことを確認した場合には、ＣＰＵ２１は、ＳＴ７１として前回更新日のデータを現在日付に書き換える。以上で、今回の履歴更新処理を終了する。
【００４８】
このように本実施の形態においては、各種の購買目的毎に、その目的に必要な商品の商品名データを記憶している。しかもその購買目的別の商品名データ毎に、購買者が購入することを選択した回数を集計している。そして、買物支援サービスを受ける購買者によって購買目的が選択された際には、その購買目的に必要な商品の商品名を選択回数が多い順に表示するようにしている。したがって、商品名リスト画面Ｇ４の商品名リスト欄Ａ５に表示される商品名の順番は、多くの購買者によって購入することが選択された回数の多い順になるので、購買者にとって必要な商品がリストの上位となる可能性が高く、購買支援サービスの利用価値の高いものとなる。
【００４９】
また、本実施の形態では、購買目的別の商品名データ毎にカウンタデータの最新更新日付を記憶している。そして、買物支援サービスを受ける購買者によって購買目的が選択された際には、その購買目的に必要な商品の商品名のうち最新更新日付からの経過日数が所定日数Ｄを超えた商品名をリストから除外するようにしている。したがって、購買者によって購入することが選択される可能性がない商品がリストに表示されることがないので、この点からも利用価値の高い購買支援サービスを提供できるようになる。
【００５０】
なお、この発明は前記実施形態そのままに限定されるものではなく、実施段階ではその要旨を逸脱しない範囲で構成要素を変形して具体化できる。
【００５１】
例えば前記実施の形態では、選択された商品名を選択されていない商品名と区別する方法としてアスタリスクマークを用いたが、これに限定されるものではなく、例えば一方を白黒反転文字としたり字体を変更したりしてもよい。また、表示部５６がカラーディスプレイの場合には文字や背景の色を変えることによって区別してもよい。
【００５２】
また、前記実施の形態では、購買目的受付手段を介して選択された項目データで表される購買目的に必要な商品識別名称を、当該項目データに対して選択回数集計手段により集計された回数の大きい順に並べたリストを作成するようにしたが、必ずしも大きい順に並べる必要はなく、小さい順に並べるように考慮されたものも本発明に含まれるものである。
【００５３】
また、本発明は、買物支援サーバ２とユーザ端末５のシステム構成のものに限定されるものではなく、両者の機能を備えた単一の装置であってもよい。  
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５４】
【図１】本発明の一実施の形態である買物支援システムの全体構成を示す模式図。
【図２】同実施の形態において買物支援サーバが有する会員データベースで保存されるデータの一構成例を示す模式図。
【図３】同実施の形態において買物支援サーバが有する購買目的データベースで保存されるデータの一構成例を示す模式図。
【図４】同実施の形態において買物支援サーバが有する目的別商品データベースで保存されるデータの一構成例を示す模式図。
【図５】同実施の形態において買物支援サーバが有する選択履歴データベースで保存されるデータの一構成例を示す模式図。
【図６】同実施の形態における買物支援サーバの要部構成を示すブロック図。
【図７】同実施の形態における買物支援サーバのＲＡＭに形成されるソートメモリのエリア構成を示す模式図。
【図８】同実施の形態におけるユーザ端末の要部構成を示すブロック図。
【図９】同実施の形態におけるユーザ端末の揮発性メモリ部に形成される買物リストメモリ及び今回メモリのエリア構成を示す模式図。
【図１０】同実施の形態におけるユーザ端末のＣＰＵが実行する本発明に係る主要な処理の手順を示す流れ図。
【図１１】図１０における買物リスト追加処理の手順を具体的に示す流れ図。
【図１２】図１１における商品名追加処理の手順を具体的に示す流れ図。
【図１３】同実施の形態における買物支援サーバのＣＰＵが実行する商品名リスト作成処理の要部を示す流れ図。
【図１４】同実施の形態における買物支援サーバのＣＰＵが実行する履歴更新処理の要部を示す流れ図。
【図１５】同実施の形態においてユーザ端末の表示部に表示されるログイン画面の一例を示す模式図。
【図１６】同実施の形態においてユーザ端末の表示部に表示される買物リスト画面の一例を示す模式図。
【図１７】同実施の形態においてユーザ端末の表示部に表示される購買目的リスト画面の一例を示す模式図。
【図１８】同実施の形態においてユーザ端末の表示部に表示される商品名リスト画面の一例を示す模式図。
【図１９】同実施の形態においてユーザ端末の表示部に表示される商品名リスト画面の一例を示す模式図。
【図２０】同実施の形態においてユーザ端末の表示部に表示される商品名入力画面の一例を示す模式図。
【図２１】同実施の形態においてユーザ端末の表示部に表示される商品名リスト画面の一例を示す模式図。
【図２２】同実施の形態においてユーザ端末の表示部に表示される買物リスト画面の一例を示す模式図。
【符号の説明】
【００５５】
１…インターネット、２…買物支援サーバ、５…ユーザ端末、６…会員データベース、７…購買目的データベース、８…目的別商品データベース、９…選択履歴データベース、２３１…ソートメモリ、５３１…買物リストメモリ、５３２…今回メモリ。
【図１】
2007102330.tif 000003
【図２】
2007102330.tif 000004
【図３】
2007102330.tif 000005
【図４】
2007102330.tif 000006
【図５】
2007102330.tif 000007
【図６】
2007102330.tif 000008
【図７】
2007102330.tif 000009
【図８】
2007102330.tif 000010
【図９】
2007102330.tif 000011
【図１０】
2007102330.tif 000012
【図１１】
2007102330.tif 000013
【図１２】
2007102330.tif 000014
【図１３】
2007102330.tif 000015
【図１４】
2007102330.tif 000016
【図１５】
2007102330.tif 000017
【図１６】
2007102330.tif 000018
【図１７】
2007102330.tif 000019
【図１８】
2007102330.tif 000020
【図１９】
2007102330.tif 000021
【図２０】
2007102330.tif 000022
【図２１】
2007102330.tif 000023
【図２２】
2007102330.tif 000024